(57)【要約】【課題】穂先竿を構成する竿杆同士の継合部において応力集中を伴わない漸次的で滑らかな曲がりを実現できる継合構造を有する釣竿を提供する。【解決手段】本発明の釣竿は、中空竿杆１２の穂先側に中実竿杆１５を挿入固定した継合部６０を有する穂先竿１０を備える。穂先竿１０は、継合部６０における穂先竿１０の表面の段差６２を埋めるように中実竿杆１５の外周に巻回される第１の糸条体３０と、継合部６０の外周に中空竿杆１２と中実竿杆１５上の第１の糸条体３０とにわたって巻回される第２の糸条体３２とを有する。第２の糸条体３２上に釣糸ガイド７０の脚部７０ａが載置され、第１の糸条体３０は、その穂先側端部３０ａが第２の糸条体３２の穂先側端部３２ａよりも穂先側に位置されるように延在する。【選択図】  図３
2020048501.tif 000002
【特許請求の範囲】
【請求項１】
中空竿杆の穂先側に前記中空竿杆よりも小径の中実竿杆を挿入固定した継合部を有する穂先竿を備えた釣竿であって、
前記継合部における前記穂先竿の表面の段差を埋めるように前記中実竿杆の外周に巻回される第１の糸条体と、
前記継合部の外周に前記中空竿杆と前記中実竿杆上の前記第１の糸条体とにわたって巻回されて釣糸ガイドの脚部を載置するための下地層を形成する第２の糸条体と、
を有し、
前記第２の糸条体上に釣糸ガイドの脚部が載置され、前記第１の糸条体は、その穂先側端部が前記第２の糸条体の穂先側端部よりも穂先側に位置されるように延在することを特徴とする釣竿。
【請求項２】
前記釣糸ガイドの脚部を前記継合部に対して固定するための第３の糸条体を更に備え、前記第２の糸条体は、その穂先側端部が前記第３の糸条体の穂先側端部よりも穂先側に位置されるように延在することを特徴とする請求項１に記載の釣竿。
【請求項３】
前記第２の糸条体は、前記釣糸ガイドの脚部が前記第３の糸条体から前記穂先竿の長手軸方向で抜けるのを防止する抜け止め部を有することを特徴とする請求項１又は２に記載の釣竿。
【請求項４】
前記中実竿杆の表面を覆う被覆層を更に備え、この被覆層上に前記第１の糸条体が巻回されることを特徴とする請求項１から３のいずれか一項に記載の釣竿。
【発明の詳細な説明】
【技術分野】
【０００１】
本発明は、穂先竿の竿杆同士の継合構造に特徴を有する釣竿に関する。
【背景技術】
【０００２】
従来、例えば、特許文献１に開示されているように、中実竿杆をこの中実竿杆よりも大径の中空竿杆に差し込んで穂先竿を構成することにより、軽量化及び撓み性の向上を図った釣竿が知られている。このように中実竿杆を中空竿杆に差し込む継合構造の穂先竿（釣竿）では、その継合部（表面の継ぎ目が存在する部分）に必然的に段差が生じることから、そのような段差を樹脂の肉盛によって埋めたり、或いは、釣糸ガイドを継合部よりも穂先側に位置させることも行なわれている。
【０００３】
また、このような継合構造の穂先竿では、大撓みが生じることも想定されるため、継合部に釣糸ガイドを装着して強度の向上を図ると共に、継ぎ目を見えなくして外観の向上を図ることも行われている。具体的には、前述した特許文献１では、小径の中実竿杆と大径の中空竿杆とを継合し、その継ぎ目に下糸層となる糸条体を巻回するとともに、この下糸層の上に釣糸ガイドの脚部を載置して、該脚部の上から更に上糸層となる糸条体を巻回した後、合成樹脂を塗布することにより、継ぎ目を釣糸ガイドで見えなくして補強した継合構造を構成している。
【０００４】
また、特許文献２には、小径の中空竿杆と大径の中空竿杆とを継合し、小径の中空竿杆の外周面から大径の中空竿杆の表面段差部に達する位置まで締付糸を巻き付けるとともに、巻き付けた締付糸を覆うように樹脂塗料を更に塗布して巻き付け状態を保護した後、研磨、樹脂塗装を施してガイド取付座面を形成し、その上から釣糸ガイドの脚部を載せて締付糸で固定して、樹脂を更に塗布した穂先竿の継合構造が開示されている。
【先行技術文献】
【特許文献】
【０００５】
【特許文献１】特開２００１−６９８７８号
【特許文献２】特開２００７−２０９３０１号
【発明の概要】
【発明が解決しようとする課題】
【０００６】
ところで、段差を伴う竿杆同士のこのような継合構造において、段差を前述したように樹脂で埋めると、樹脂の硬度によっては穂先竿の曲がりが滑らかにならない場合がある。特に、小径の中実竿杆が継合部を境に先細りのテーパ形状を成す場合には、継合部の段差が更に大きくなり、したがって、段差を埋める樹脂の量も増えることから、穂先竿の漸次的でスムーズな曲がりを実現できなくなる。
【０００７】
また、継合部の段差に伴って前述したように釣糸ガイドを継合部よりも穂先側に位置させるようにすると、一般に、釣糸ガイドを竿杆に取り付けるための巻き糸を継合部にまで延在させて継合部を覆うことにより継合部を露出させないようにするため、糸巻き量が多くなり（糸巻き範囲が長くなり）、バランスの悪い外観になるとともに、糸量が増える分、重量化するという問題も生じる。
【０００８】
また、このような竿杆同士の継合構造においては、特に中実竿杆が金属製で且つ中空竿杆が樹脂製である場合に、継合部で剛性差が大きくなるため、継合部で応力集中が生じ易くなる（ひいては、塑性曲がりをもたらす）。そのため、特許文献１及び特許文献２に開示されるように継合部に釣糸ガイドを装着して強度の向上を図る（継合部を補強して応力を分散させる）ことは有益であるが、特許文献１及び特許文献２はいずれも釣糸ガイド固定用の糸条体の上からこれを覆うように糸止め樹脂を塗布しているため、実際に釣竿が撓んだ際、応力集中し易い継合部で糸止め樹脂に亀裂が入り易く、このような亀裂は、視認し易いことから、外観を損ねてしまう。また、特許文献１及び特許文献２ではいずれも、積層される糸条体及び樹脂が継合部の領域のみにほぼ同じ長さにわたって集中的に配設されているだけであるため、補強及び応力の分散が局所的に行なわれるにすぎず、応力を効果的に分散して穂先竿の漸次的でスムーズ（滑らか）な曲がりを実現することが難しい。
【０００９】
本発明は、上記した問題に基づいてなされたものであり、穂先竿を構成する竿杆同士の継合部において応力集中を伴わない漸次的で滑らかな曲がりを実現できる継合構造を有する釣竿を提供することを目的とする。
【課題を解決するための手段】
【００１０】
上記した課題を解決するために、本発明は、中空竿杆の穂先側に前記中空竿杆よりも小径の中実竿杆を挿入固定した継合部を有する穂先竿を備えた釣竿であって、前記継合部における前記穂先竿の表面の段差を埋めるように前記中実竿杆の外周に巻回される第１の糸条体と、前記継合部の外周に前記中空竿杆と前記中実竿杆上の前記第１の糸条体とにわたって巻回されて釣糸ガイドの脚部を載置するための下地層を形成する第２の糸条体とを有し、前記第２の糸条体上に釣糸ガイドの脚部が載置され、前記第１の糸条体は、その穂先側端部が前記第２の糸条体の穂先側端部よりも穂先側に位置されるように延在することを特徴とする。
【００１１】
上記構成によれば、第１の糸条体の穂先側端部が第２の糸条体の穂先側端部よりも穂先側に位置されるように第１及び第２の糸条体が階段状に配設されることによって継合部が位置される穂先竿の外径が糸条体により段階的に変化するため、継合部において応力が効果的に分散されて応力集中を伴わない竿杆の漸次的で滑らかな曲がりを実現できる。すなわち、広範囲にわたって補強及び応力の分散が段階的になされることにより、継合部での穂先竿の撓み性が良くなり、穂先竿の局所的な曲がり（例えば「へ」の字状の曲がり）を防止できる。
【００１２】
また、上記構成によれば、継合部における穂先竿の表面の段差を樹脂によって埋めるのではなく糸条体（第１の糸条体）によって埋めるため、樹脂に比べてスムーズな竿杆の曲がりを実現できるとともに、応力集中し易い継合部で樹脂に亀裂が入って外観を損ねてしまうこともなくなる。これは、特に、中実竿杆が継合部を境に先細りのテーパ形状を成すことにより継合部の段差が更に大きくなる場合に有益である。また、上記構成によれば、継合部に中空竿杆と中実竿杆とにわたって釣糸ガイドを装着しているため、釣糸ガイドによって継合部を補強して応力を分散させる（強度の向上を図る）ことができる。これは、特に、継合部で剛性差が大きくなって応力集中が生じ易くなる構造、すなわち、例えば中実竿杆が金属製で且つ中空竿杆が樹脂製である場合に有益である。また、このように継合部に釣糸ガイドを装着すれば、前述したように釣糸ガイドを継合部よりも穂先側に位置させた場合と比べて、糸巻き量を少なくでき（糸巻き範囲を短くでき）、バランスの良い外観をもたらすことができるとともに、糸量が減る分、軽量化を図ることもできる。
【００１３】
なお、上記構成では、釣糸ガイドを継合部に中空竿杆と中実竿杆とにわたって装着することに関連して、継合部（中空竿杆と中実竿杆との境界部）が釣糸ガイドの脚部の全長の中央に位置されることが望ましい。これにより、応力をバランス良く分散させることができる。また、上記構成において、継合部における段差を埋めるための第１の糸条体は、段差による釣糸ガイドの傾きを防止するために、その段差の程度に応じて糸の太さが選定されることが好ましい。また、釣糸ガイドの傾きを効果的に防止するために、釣糸ガイドの脚部から延びるガイド本体と竿杆との間の隙間を塗装等によって埋めることが好ましい。
【００１４】
また、上記構成では、釣糸ガイドの脚部を継合部に対して固定するための第３の糸条体を更に備え、第２の糸条体は、その穂先側端部が第３の糸条体の穂先側端部よりも穂先側に位置されるように延在することが好ましい。これによれば、糸条体の階段状の配設形態が更に促進されるため、竿杆のより滑らかな漸進的湾曲を実現できる。なお、中実竿杆が先細りのテーパ状を成す場合、糸条体による穂先竿の外径の段階的変化度合いは、中実竿杆のテーパ度合いに対応することが好ましい。
【００１５】
また、上記構成において、第２の糸条体は、釣糸ガイドの脚部が第３の糸条体から穂先竿の長手軸方向で抜けるのを防止する抜け止め部を有することが好ましい。これによれば、第３の糸条体と第２の糸条体との協働によって釣糸ガイドの脚部の固定を確実ならしめることができる。また、この場合、抜け止め部が継合部の補強を兼ねることが好ましい。
【００１６】
また、上記構成では、中実竿杆の表面を覆う被覆層を更に備え、この被覆層上に第１の糸条体が巻回されることが好ましい。これによれば、被覆層によって金属表面を露出させないで済み、穂先竿の所望の外観を維持できる。なお、被覆層としては、例えば、糸条体、塗装、又は、カーボンシート等を挙げることができる。被覆層を糸条体によって形成する場合には、その上に巻回される第１の糸条体の竿杆に対する滑りを防止するアンカー効果を得ることができる。特に中空竿杆が樹脂製で且つ中実竿杆が金属製である場合、被覆層は、中実竿杆における金属の特性を損なわない厚さで形成されることが好ましい。
【発明の効果】
【００１７】
本発明によれば、穂先竿を構成する竿杆同士の継合部において応力集中を伴わない漸次的で滑らかな曲がりを実現できる継合構造を有する釣竿が得られる。
【図面の簡単な説明】
【００１８】
【図１】本発明に係る釣竿の一実施形態を示す側面図である。
【図２】図１の釣竿の穂先竿を構成する大径竿杆と小径竿杆の継合部を示す側断面図である。
【図３】図２のＡ部（継合部）を拡大して示す側断面図である。
【発明を実施するための形態】
【００１９】
以下、本発明に係る釣竿の一実施形態について、添付図面を参照しながら具体的に説明する。
図１に示されるように、本実施形態の釣竿１は、元竿３、中竿５、及び、穂先竿１０を備えており、各竿は、並継ぎ式によって継合されている。また、釣竿１には、元竿３にリールシート４が設けられており、元竿３、中竿５、及び、穂先竿１０には、リールシート４に装着されるリールＲから繰り出される釣糸を案内する釣糸ガイドが適所に取着される。図１では、元竿３に設けられる釣糸ガイドが７Ａで示され、中竿５に設けられる釣糸ガイドが７Ｂで示され、穂先竿１０に設けられる釣糸ガイドが７Ｃで示される。また、穂先竿１０の先端には、トップガイド８が取着されている。この場合、各釣糸ガイド７Ａ，７Ｂ，７Ｃ及びトップガイド８は、竿杆の外周面に糸巻きや接着等によって取着されているが、一部に、軸方向に移動して固定されるタイプ（遊動ガイド）を用いてもよい。
【００２０】
なお、図１に示される釣竿１は、並継ぎ式として構成されるが、各竿の継合構造は、振出方式、逆並継方式、インロー方式であってもよい。また、中竿５は複数本（２本以上）あってもよく、無くてもよい。また、全体として１本竿で構成されていてもよい。
【００２１】
元竿３及び中竿５は、好ましくは、繊維強化樹脂製の管状体（中空竿杆）で構成されており、例えば、強化繊維（主に炭素繊維やガラス繊維等）にエポキシ樹脂等の合成樹脂を含浸した繊維強化樹脂プリプレグ（プリプレグシート）を芯金に巻回して加熱工程を経た後、脱芯する等、定法にしたがって所定寸法の管状に形成されている。
【００２２】
また、図２に明確に示されるように、穂先竿１０は、中空竿杆１２と、この中空竿杆１２よりも小径に形成されて中空竿杆１２の穂先側に挿入固定される中実竿杆１５とによって構成される。すなわち、穂先竿１０は、継合部（表面に継ぎ目が存在する部分）６０で中実竿杆１５を中空竿杆１２に差し込む継合構造を成している。この場合、大径の中空竿杆１２は、元竿３や中竿５と同様、樹脂製のプリプレグシートを芯金に巻回し、加熱工程を経た後、脱芯する等、定法にしたがって所定寸法の管状体に形成され、また、小径の中実竿杆１５は、中実状の芯材として構成されており、後述するように、基端側（元竿側）が中空竿杆１２の先端開口１２ａに挿入されて接着剤等によって継合固定される。
【００２３】
また、本実施形態の小径の中実竿杆１５は、穂先竿として撓み性を向上させている。具体的には、中実竿杆１５は、撓み性が良好な素材、例えば、超弾性合金線材（Ｎｉ−Ｔｉ合金やＦｅ−Ａｌ合金等の金属材料）によって形成されている。しかしながら、中実竿杆１５は、金属以外の材料、例えば超弾性樹脂材料（ポリフェニールサルサン（ＰＰＳＵ））等によって形成されてもよい。この場合、炭素繊維等を長手方向に指向させ、これにエポキシ樹脂等の合成樹脂を含浸して形成される繊維強化樹脂材料によって形成されていてもよい。
【００２４】
また、中実竿杆１５は、中空竿杆１２との継合部６０を境に先細りのテーパ形状を成している。具体的には、中実竿杆１５は、中空竿杆１２内に挿入されるようになっている外径が一定のままであるストレート部１５Ａと、中空竿杆１２から露出されるようになっているとともに穂先へ向けて漸進的に外径が減少するテーパ部１５Ｂとから成る。なお、本実施形態の中実竿杆１５は、このように中空竿杆１２との継合部６０から先（穂先側）が次第に小径化されているが、全長にわたってストレート状に延在していてもよい。
【００２５】
一方、大径の中空竿杆１２は、その穂先側端部に、中実竿杆１５のストレート部１５Ａを嵌合状態で挿入するための先端開口１２ａを有する。この場合、中実竿杆１５を中空竿杆１２に挿入する際には、面接部分に接着剤が塗布され、これにより中実竿杆１５が中空竿杆１２に挿入固定される。
【００２６】
また、このようにして中実竿杆１５を中空竿杆１２に挿入固定すると、中空竿杆１２の先端開口１２ａの端縁１２ｂと中実竿杆１５の表面との間に段差６２（図３参照）が生じる。この段差６２を生じさせる部分、すなわち、図２に一点鎖線の円により参照符号Ａで示される中実竿杆１５と中空竿杆１２との間の継合部６０は、穂先竿１０が大きく撓んだ際に応力集中する部分となる。そのため、本実施形態の穂先竿１０は、この応力集中を効果的に分散させて漸次的で滑らかな曲がりを実現できる継合構造を有している。以下、これについて図３を参照しながら詳しく説明する。
【００２７】
本実施形態では、継合部６０における穂先竿１０の表面の前述した段差６２を埋めるように中実竿杆１５のテーパ部１５Ｂの外周に第１の糸条体３０が密に巻回される。この場合、第１の糸条体３０は、断面が略円形状（円、楕円に加え、六角形のような多面状も含む）の例えばポリエステル等の合成樹脂、綿等の天然繊維等から形成される糸を穂先竿１０の長手軸Ｏの方向に沿って例えば段差６２よりも前方に載置される釣糸ガイド７０の脚部７０ａの2倍程度の長さにわたって密接するように巻回することによって構成され、接着剤の塗布等により固定される。なお、この第１の糸条体３０は、段差６２による釣糸ガイド７０の傾きを防止するために、その段差６２の程度に応じて糸の太さが選定されることが好ましい。また、釣糸ガイド７０の傾きを効果的に防止するために、本実施形態では、釣糸ガイド７０の脚部７０ａから延びるガイド本体７０ｂと中実竿杆１５のテーパ部１５Ｂとの間の隙間が塗装等（図では塗料９０）によって埋める。
【００２８】
また、本実施形態において、継合部６０の外周には、釣糸ガイド７０の脚部７０ａを載置するための下地層を形成する第２の糸条体３２が中空竿杆１２と中実竿杆１５上の第１の糸条体３０とにわたって密に巻回される。この場合も、第２の糸条体３２は、断面が略円形状（円、楕円に加え、六角形のような多面状も含む）の例えばポリエステル等の合成樹脂、綿等の天然繊維等から形成される糸を穂先竿１０の長手軸Ｏの方向に沿って例えば段差６２よりも前方に載置される釣糸ガイド７０の脚部７０ａの2倍程度の長さにわたって密接するように中空竿杆１２の外表面上及び第１の糸条体３０上に巻回することによって構成され、接着剤の塗布等により固定される。
【００２９】
そして、本実施形態では、更に、第２の糸条体３２上に釣糸ガイド７０の脚部７０ａが載置されるとともに、釣糸ガイド７０の脚部７０ａを継合部６０に対して固定するための第３の糸条体３３が脚部７０ａを外側から完全に取り囲むように且つ第２の糸条体３２の外周をその全長の少なくとも一部で完全に覆うように密に巻回される。無論、この場合も先と同様に、第３の糸条体３３は、断面が略円形状（円、楕円に加え、六角形のような多面状も含む）の例えばポリエステル等の合成樹脂、綿等の天然繊維等から形成される糸を穂先竿１０の長手軸Ｏの方向に沿って例えば釣糸ガイド７０の脚部７０ａの前方に２，３巻き程度の長さにわたって密接するように巻回することによって構成され、接着剤の塗布等により固定される。また、第２の糸条体３２上における釣糸ガイド７０の脚部７０ａの載置に関しては、継合部６０における中空竿杆１２と中実竿杆１５との境界部が釣糸ガイド７０の脚部７０ａの全長の中央に位置されることが望ましい。これにより、竿杆に作用する応力をバランス良く分散させることができる。
【００３０】
また、このような継合構造を有する本実施形態の穂先竿１０は、第１の糸条体３０の穂先側端部３０ａが第２の糸条体３２の穂先側端部３２ａよりも穂先側に位置されるように且つ第２の糸条体３２の穂先側端部３２ａが第３の糸条体３３の穂先側端部３３ａよりも穂先側に位置されるように各糸条体３０，３２，３３が延在することを特徴とする。すなわち、本実施形態の穂先竿１０では、糸条体３０，３２，３３が階段状に配設されることによって継合部６０が位置される穂先竿１０の外径が段階的に変化している。なお、中実竿杆１５が先細りのテーパ状を成す（中実竿杆１５がテーパ部１５Ｂを有する）本構成の場合、糸条体３０，３２，３３による穂先竿１０の外径の段階的変化度合いは、中実竿杆１５のテーパ部１５Ｂのテーパ度合いに対応することが好ましい。
【００３１】
また、本実施形態の継合構造において、第２の糸条体３２は、釣糸ガイド７０の脚部７０ａが第３の糸条体３３から穂先竿１０の長手軸Ｏ方向で（図３では穂先側へ）抜けるのを防止する抜け止め部３２ａを有している。この場合、抜け止め部３２ａは、継合部６０の補強も兼ねており、第２の糸条体３２の穂先側端部３２ａの側で第２の糸条体３２の上側に部分的に重なり合うように糸を更に巻回することによって構成され、前述したガイド傾き防止用の塗料９０中に埋め込まれるように位置される。
【００３２】
また、本実施形態において、穂先竿１０は、中実竿杆１５の表面を覆う（本実施形態では、テーパ部１５Ｂの表面をその全長にわたって覆う）被覆層３４を更に備え、この被覆層３４上に第１の糸条体３０が巻回されている。この場合、被覆層３４としては、例えば、糸条体、塗装、又は、カーボンシート等を挙げることができる。被覆層３４を図３に示されるように糸条体によって形成する場合には、その上に巻回される第１の糸条体３０の竿杆（テーパ部１５Ｂ）に対する滑りを防止するアンカー効果を得ることができる。特に中空竿杆１２が樹脂製で且つ中実竿杆１５が金属製である本実施形態の場合、被覆層３４は、中実竿杆１５における金属の特性を損なわない厚さで形成されることが好ましい。
【００３３】
以上説明したように、本実施形態によれば、第１の糸条体３０の穂先側端部３０ａが第２の糸条体３２の穂先側端部３２ａよりも穂先側に位置されるように第１及び第２の糸条体３０，３２が階段状に配設されることによって継合部６０が位置される穂先竿１０の外径が糸条体３０，３２により段階的に変化するため、継合部６０において応力が効果的に分散されて応力集中を伴わない竿杆１２，１５の漸次的で滑らかな曲がりを実現できる。すなわち、広範囲にわたって補強及び応力の分散が段階的になされることにより、継合部６０での穂先竿１０の撓み性が良くなり、穂先竿１０の局所的な曲がり（例えば「へ」の字状の曲がり）を防止できる。
【００３４】
また、本実施形態によれば、継合部６０における穂先竿１０の表面の段差６２を樹脂によって埋めるのではなく糸条体（第１の糸条体３０）によって埋めるため、樹脂に比べてスムーズな竿杆１２，１５の曲がりを実現できるとともに、応力集中し易い継合部６０で樹脂に亀裂が入って外観を損ねてしまうこともなくなる。これは、特に、本実施形態のように中実竿杆１５が継合部５０を境に先細りのテーパ形状を成すことにより継合部６０の段差６２が更に大きくなる場合に有益である。
【００３５】
また、本実施形態によれば、継合部６０に中空竿杆１２と中実竿杆１５とにわたって釣糸ガイド７０を装着しているため、釣糸ガイド７０によって継合部６０を補強して応力を分散させる（強度の向上を図る）ことができる。これは、特に、本実施形態のように継合部６０で剛性差が大きくなって応力集中が生じ易くなる構造、すなわち、中実竿杆１５が金属製で且つ中空竿杆１２が樹脂製である場合に有益である。また、このように継合部６０に釣糸ガイド７０を装着すれば、前述した従来技術のように釣糸ガイドを継合部よりも穂先側に位置させた場合と比べて、糸巻き量を少なくでき（糸巻き範囲を短くでき）、バランスの良い外観をもたらすことができるとともに、糸量が減る分、軽量化を図ることもできる。
【００３６】
また、本実施形態によれば、釣糸ガイド７０の脚部７０ａを継合部６０に対して固定するための第３の糸条体３３が更に設けられ、第２の糸条体３２は、その穂先側端部３２ａが第３の糸条体３３の穂先側端部３３ａよりも穂先側に位置されるように延在している。そのため、前述した糸条体の階段状の配設形態が更に促進され、竿杆１２，１５のより滑らかな漸進的湾曲を実現できる。
【００３７】
また、本実施形態において、第２の糸条体３２は、釣糸ガイド７０の脚部７０ａが第３の糸条体３３から穂先竿１０の長手軸Ｏ方向で抜けるのを防止する抜け止め部３２ａを有するため、第３の糸条体３３と第２の糸条体３２との協働によって釣糸ガイド７０の脚部７０ａの固定を確実ならしめることができる。
【００３８】
また、本実施形態では、中実竿杆１５の表面を覆う被覆層３４が更に設けられ、この被覆層３４上に第１の糸条体３０が巻回されるため、被覆層３４によって金属表面を露出させないで済み、穂先竿１０の所望の外観を維持できる。
【００３９】
以上、添付図面に関連して本発明の実施形態を説明してきたが、本発明は、前述した実施形態に限定されず、その要旨を逸脱しない範囲で種々変形して実施できる。例えば、糸条体の長さ、材質、及び、外径は任意に設定できる。第１乃至第３の糸条体以外の糸条体が更に存在していても構わない。
【符号の説明】
【００４０】
１  釣竿
１０  穂先竿
１２  中空竿杆
１５  中実竿杆
３０  第１の糸条体
３２  第２の糸条体
３２  抜け止め部
３３  第３の糸条体
３４  被覆層
【図１】
2020048501.tif 000003
【図２】
2020048501.tif 000004
【図３】
2020048501.tif 000005